(57)【要約】【課題】無駄を排除することが可能な状況監視装置の装置本体、及び状況監視装置を提供すること。【解決手段】状況監視装置１の装置本体３の一側方には、バンド２の長手方向に沿って温度センサ装置４、湿度センサ装置５、紫外線量センサ装置６の順にそれらが連接されるとともに、同装置本体３の他側方には、バンド２の長手方向に沿って体温センサ装置７、心拍数センサ装置８、肌水分量センサ装置９の順にそれらが連接されている。オスコネクタ４２，５２，６２，７２，８２，９２の各々は、それが設けられている自センサ装置のメスコネクタを除いて、メスコネクタ３３，３４，４３，５３，６３，７３，８３，９３のどれにも適合する。【選択図】図１
2008119197.tif 000002
【特許請求の範囲】
【請求項１】
物事のその時のありさま、つまり状況を監視する状況監視装置の装置本体において、
ユーザが所持するとともに監視対象となる状況を検出するセンサ装置により検出された状況を示唆するデータを装置本体側で取得できるように、該装置本体に対してセンサ装置を着脱可能に取り付けるための媒体である接続手段が設けられていることを特徴とする状況監視装置の装置本体。
【請求項２】
請求項１に記載の状況監視装置の装置本体において、
前記接続手段は、複数個設けられていることを特徴とする状況監視装置の装置本体。
【請求項３】
請求項２に記載の状況監視装置の装置本体において、
前記接続手段は、同一構成のものが複数個設けられていることを特徴とする状況監視装置の装置本体。
【請求項４】
物事のその時のありさま、つまり状況を監視する状況監視装置において、
その装置本体には、ユーザが所持するとともに監視対象となる状況を検出する第１のセンサ装置により検出された状況を示唆するデータを装置本体側で取得できるように、該装置本体に対して第１のセンサ装置を着脱可能に取り付けるための媒体である接続手段が設けられ、
前記第１のセンサ装置には、前記接続手段に適合する第１のコネクタと、ユーザが所持する第２のセンサ装置により検出された状況を示唆するデータを前記第１のセンサ装置を介して前記装置本体側で取得できるように、該第１のセンサ装置に対して第２のセンサ装置を着脱可能に取り付けるための媒体である第２のコネクタとが設けられていることを特徴とする状況監視装置。
【請求項５】
請求項４に記載の状況監視装置において、
前記第２のセンサ装置には、前記第１のセンサ装置に設けられる前記第２のコネクタに適合する第３のコネクタと、ユーザが所持する第３のセンサ装置により検出された状況を示唆するデータを前記第２のセンサ装置及び前記第１のセンサ装置を介して前記装置本体側で取得できるように、該第２のセンサ装置に対して第３のセンサ装置を着脱可能に取り付けるための媒体である第４のコネクタとが設けられ、
前記第３のコネクタは、前記装置本体に設けられる前記接続手段にも適合するとともに、前記第４のコネクタは、前記第１のセンサ装置に設けられる前記第１のコネクタにも適合することを特徴とする状況監視装置。
【請求項６】
請求項４に記載の状況監視装置において、
前記接続手段を第１の接続手段と規定したとき、前記装置本体には、前記第１の接続手段とは別の接続手段として第２の接続手段が設けられ、
前記第２の接続手段は、ユーザが所持する第４のセンサ装置により検出された状況を示唆するデータを装置本体側で取得できるように、該装置本体に対して第４のセンサ装置を取り付けるための媒体であり、
前記第４のセンサ装置には、前記第２の接続手段に適合する第５のコネクタと、ユーザが所持する第５のセンサ装置により検出された状況を示唆するデータを前記第４のセンサ装置を介して前記装置本体側で取得できるように、該第４のセンサ装置に対して第５のセンサ装置を着脱可能に取り付けるための媒体である第６のコネクタとが設けられていることを特徴とする状況監視装置。
【請求項７】
請求項６に記載の状況監視装置において、
前記第５のセンサ装置には、前記第４のセンサ装置に設けられる前記第６のコネクタに適合する第７のコネクタと、ユーザが所持する第６のセンサ装置により検出された状況を示唆するデータを前記第５のセンサ装置及び前記第４のセンサ装置を介して前記装置本体側で取得できるように、該第５のセンサ装置に対して第６のセンサ装置を着脱可能に取り付けるための媒体である第８のコネクタとが設けられ、
前記第７のコネクタは、前記装置本体に設けられる前記第２の接続手段にも適合するとともに、前記第８のコネクタは、前記第４のセンサ装置に設けられる前記第５のコネクタにも適合することを特徴とする状況監視装置。
【請求項８】
請求項６又は請求項７に記載の状況監視装置において、
前記装置本体に設けられる前記第１の接続手段と前記第２の接続手段とは、互いに同一構成であり、
前記第１の接続手段には、前記第１のセンサ装置に設けられる前記第１のコネクタが適合するとともに、前記第４のセンサ装置に設けられる前記第５のコネクタが適合し、
前記第２の接続手段には、前記第４のセンサ装置に設けられる前記第５のコネクタが適合するとともに、前記第１のセンサ装置に設けられる前記第１のコネクタが適合することを特徴とする状況監視装置。
【発明の詳細な説明】
【技術分野】
【０００１】
本発明は、物事のその時のありさま、つまり状況を監視する状況監視装置の装置本体、及び状況監視装置に関する。
【背景技術】
【０００２】
特許文献１には、運転者が所持する携帯機に発汗センサを設けるとともに、それにより検出された運転者の発汗量を示唆するデータを携帯機から送信し、そのデータを受信した自動車側において、同データから把握される運転者の体調を表示部に表示するようにした体調監視システムに関する技術が開示されている。
【０００３】
また、同特許文献１には、発汗センサに代えて又は加えて、心拍（脈拍）センサや血圧センサを携帯機に設けるとともに、このことにより、運転者の発汗量に代えて又は加えて、運転者の心拍（脈拍）や血圧から把握される運転者の体調を表示するようにしてもよいことが記載されている。
【特許文献１】特開２００５−３４５２０号公報（段落番号００２６、００４２）
【発明の開示】
【発明が解決しようとする課題】
【０００４】
しかしながら、特許文献１に開示されている体調監視システムでは、それに供される携帯機にどのようなセンサが設けられるにしろ、そのセンサは予め携帯機内に組み込まれて一体化されており、よってこれらは常に一体化された状態で取り扱われることが前提となっている。
【０００５】
ここに、携帯機に組み込ませたいセンサの種類は、人によって異なるが、１種類の携帯機でもって全員の要求を満足しようとすれば、携帯機内に組み込まなければならないセンサの種類は当然多くなる。そして、このようにしたとき、自分の携帯機にあって、自分は望まないが他人が望んでいるセンサが組み込まれることになり、自分にしてみれば、その余分なセンサが組み込まれている分だけ、携帯機の初期費用が高価になるとともに、小型軽量化の妨げとなって不便である。
【０００６】
かといって、要求毎にそれに必要なセンサを組み込んで複数種類の携帯機を製造し、それにより全員の要求を満足しようとすれば、携帯機の種類が多くなり、よって生産性が低下する虞がある。
【０００７】
本発明は、このような問題点に着目してなされたものであって、その目的は、無駄を排除することが可能な状況監視装置の装置本体、及び状況監視装置を提供することにある。
【課題を解決するための手段】
【０００８】
上記の目的を達成するために、請求項１に記載の発明は、物事のその時のありさま、つまり状況を監視する状況監視装置の装置本体において、ユーザが所持するとともに監視対象となる状況を検出するセンサ装置により検出された状況を示唆するデータを装置本体側で取得できるように、該装置本体に対してセンサ装置を着脱可能に取り付けるための媒体である接続手段が設けられていることをその要旨としている。
【０００９】
同構成によると、監視したい状況に合わせて所望のセンサ装置を選択し、それを接続手段を介して装置本体に取り付ければ、該センサ装置により検出された状況を示唆するデータを装置本体側で取得できるようになる。要は、自分が望むセンサ装置を装置本体に選択搭載すれば事が足りる。従って、無駄を排除することができる。
【００１０】
請求項２に記載の発明は、請求項１に記載の状況監視装置の装置本体において、前記接続手段は、複数個設けられていることをその要旨としている。
同構成によると、複数の接続手段の各々を介して所望のセンサ装置を装置本体に取り付ければ、センサ装置の個数に応じて様々な状況を示唆するデータを装置本体側で取得できるようになる。ここに、これらのセンサ装置は全て自分が選択したものであるから、無駄を排除しつつ、使用目的にかなった状況監視装置を作り出すことができる。
【００１１】
請求項３に記載の発明は、請求項２に記載の状況監視装置の装置本体において、前記接続手段は、同一構成のものが複数個設けられていることをその要旨としている。
同構成によると、センサ装置は、複数の接続手段のどれを介してでも装置本体に取り付けることが可能である。要は、所望のセンサ装置を好きな位置に取り付ければ事が足りる。従って、独創性に富んだ状況監視装置を作り出すことができる。
【００１２】
請求項４に記載の発明は、物事のその時のありさま、つまり状況を監視する状況監視装置において、その装置本体には、ユーザが所持するとともに監視対象となる状況を検出する第１のセンサ装置により検出された状況を示唆するデータを装置本体側で取得できるように、該装置本体に対して第１のセンサ装置を着脱可能に取り付けるための媒体である接続手段が設けられ、前記第１のセンサ装置には、前記接続手段に適合する第１のコネクタと、ユーザが所持する第２のセンサ装置により検出された状況を示唆するデータを前記第１のセンサ装置を介して前記装置本体側で取得できるように、該第１のセンサ装置に対して第２のセンサ装置を着脱可能に取り付けるための媒体である第２のコネクタとが設けられていることをその要旨としている。
【００１３】
同構成によると、監視したい状況に合わせて第１のセンサ装置を選択し、それを接続手段を介して装置本体に取り付ければ、該第１のセンサ装置により検出された状況を示唆するデータを装置本体側で取得できるようになる。要は、自分が望む第１のセンサ装置を装置本体に選択搭載すれば事が足りる。従って、無駄を排除することができる。
【００１４】
また、装置本体に第１のセンサ装置を取り付けることに止まらず、さらに、その第１のセンサ装置に第２のセンサ装置を取り付ければ、第１のセンサ装置により検出された状況を示唆するデータを装置本体側で取得できるとともに、第２のセンサ装置により検出された状況を示唆するデータを装置本体側で取得できるようになる。ここに、これらのセンサ装置はいずれも自分が選択したものであるから、無駄を排除しつつ、使用目的にかなった状況監視装置を作り出すことができる。
【００１５】
請求項５に記載の発明は、請求項４に記載の状況監視装置において、前記第２のセンサ装置には、前記第１のセンサ装置に設けられる前記第２のコネクタに適合する第３のコネクタと、ユーザが所持する第３のセンサ装置により検出された状況を示唆するデータを前記第２のセンサ装置及び前記第１のセンサ装置を介して前記装置本体側で取得できるように、該第２のセンサ装置に対して第３のセンサ装置を着脱可能に取り付けるための媒体である第４のコネクタとが設けられ、前記第３のコネクタは、前記装置本体に設けられる前記接続手段にも適合するとともに、前記第４のコネクタは、前記第１のセンサ装置に設けられる前記第１のコネクタにも適合することをその要旨としている。
【００１６】
同構成によると、装置本体、第１のセンサ装置、第２のセンサ装置、の順に連なるように取り付けることが可能であるとともに、第１のセンサ装置と第２のセンサ装置との順序を入れ替えて、装置本体、第２のセンサ装置、第１のセンサ装置、の順に連なるように取り付けることも可能である。要は、所望のセンサ装置を好きな順序で取り付ければ事が足りる。従って、独創性に富んだ状況監視装置を作り出すことができる。
【００１７】
請求項６に記載の発明は、請求項４に記載の状況監視装置において、前記接続手段を第１の接続手段と規定したとき、前記装置本体には、前記第１の接続手段とは別の接続手段として第２の接続手段が設けられ、前記第２の接続手段は、ユーザが所持する第４のセンサ装置により検出された状況を示唆するデータを装置本体側で取得できるように、該装置本体に対して第４のセンサ装置を取り付けるための媒体であり、前記第４のセンサ装置には、前記第２の接続手段に適合する第５のコネクタと、ユーザが所持する第５のセンサ装置により検出された状況を示唆するデータを前記第４のセンサ装置を介して前記装置本体側で取得できるように、該第４のセンサ装置に対して第５のセンサ装置を着脱可能に取り付けるための媒体である第６のコネクタとが設けられていることをその要旨としている。
【００１８】
同構成によると、第１の接続手段を介して装置本体に第１のセンサ装置を取り付けるとともに、その第１のセンサ装置に第２のセンサ装置を取り付けることに止まらず、さらに、第２の接続手段を介して装置本体に第４のセンサ装置を取り付けるとともに、その第４のセンサ装置に第５のセンサ装置を取り付けることが可能である。そして、このようにしたとき、第１のセンサ装置や第２のセンサ装置により検出された状況を示唆するデータを装置本体側で取得できるとともに、第４のセンサ装置や第５のセンサ装置により検出された状況を示唆するデータを装置本体側で取得できるようになる。ここに、これらのセンサ装置はいずれも自分が選択したものであるから、無駄を排除しつつ、使用目的にかなった状況監視装置を作り出すことができる。
【００１９】
請求項７に記載の発明は、請求項６に記載の状況監視装置において、前記第５のセンサ装置には、前記第４のセンサ装置に設けられる前記第６のコネクタに適合する第７のコネクタと、ユーザが所持する第６のセンサ装置により検出された状況を示唆するデータを前記第５のセンサ装置及び前記第４のセンサ装置を介して前記装置本体側で取得できるように、該第５のセンサ装置に対して第６のセンサ装置を着脱可能に取り付けるための媒体である第８のコネクタとが設けられ、前記第７のコネクタは、前記装置本体に設けられる前記第２の接続手段にも適合するとともに、前記第８のコネクタは、前記第４のセンサ装置に設けられる前記第５のコネクタにも適合することをその要旨としている。
【００２０】
同構成によると、装置本体、第４のセンサ装置、第５のセンサ装置、の順に連なるように取り付けることが可能であるとともに、第４のセンサ装置と第５のセンサ装置との順序を入れ替えて、装置本体、第５のセンサ装置、第４のセンサ装置、の順に連なるように取り付けることも可能である。要は、所望のセンサ装置を好きな順序で取り付ければ事が足りる。従って、独創性に富んだ状況監視装置を作り出すことができる。
【００２１】
請求項８に記載の発明は、請求項６又は請求項７に記載の状況監視装置において、前記装置本体に設けられる前記第１の接続手段と前記第２の接続手段とは、互いに同一構成であり、前記第１の接続手段には、前記第１のセンサ装置に設けられる前記第１のコネクタが適合するとともに、前記第４のセンサ装置に設けられる前記第５のコネクタが適合し、前記第２の接続手段には、前記第４のセンサ装置に設けられる前記第５のコネクタが適合するとともに、前記第１のセンサ装置に設けられる前記第１のコネクタが適合することをその要旨としている。
【００２２】
同構成によると、第１のセンサ装置を第１の接続手段を介して装置本体に取り付ける一方で、第４のセンサ装置を第２の接続手段を介して装置本体に取り付けることが可能であるとともに、それとは逆に、第１のセンサ装置を第２の接続手段を介して装置本体に取り付ける一方で、第４のセンサ装置を第１の接続手段を介して装置本体に取り付けることも可能である。要は、所望のセンサ装置を好きな位置に取り付ければ事が足りる。従って、独創性に富んだ状況監視装置を作り出すことができる。
【発明の効果】
【００２３】
本発明は、以上のように構成されているため、次のような効果を奏する。
本発明によれば、無駄を排除することができる。
【発明を実施するための最良の形態】
【００２４】
以下、本発明を、監視対象となる状況として、ユーザの生活環境と同ユーザの体調との両者を監視する状況監視装置に具体化した一実施形態を説明する。
図１（ａ），（ｂ）に示すように、状況監視装置１は、ユーザの腕を取り巻くように装着可能な可撓性を有するバンド２の長手方向中央部に、略円板形状をなす装置本体３が設けられている。そして、その装置本体３の一側方には、バンド２の長手方向に沿って温度センサ装置４、湿度センサ装置５、紫外線量センサ装置６の順にそれらが連接されるとともに、同装置本体３の他側方には、バンド２の長手方向に沿って体温センサ装置７、心拍数センサ装置８、肌水分量センサ装置９の順にそれらが連接されている。
【００２５】
尚、温度センサ装置４、湿度センサ装置５、紫外線量センサ装置６、体温センサ装置７、心拍数センサ装置８、肌水分量センサ装置９、の各々は、装置本体３よりも一回り程度小さな略円板形状をなすとともに、互いに同一形状をなしている。また、これら温度センサ装置４〜肌水分量センサ装置９の各々は、装置本体３の厚みと略同じ厚みを有している。
【００２６】
弾性変形可能なバンド２の長手方向中央部には、一対の取付用孔２１，２２が設けられるとともに、取付用孔２１は、バンド２の長手方向中央から一側方へ少しだけ偏倚した位置に設けられ、取付用孔２２は、バンド２の長手方向中央から他側方へ少しだけ偏倚した位置に設けられている。そして、装置本体３の裏面中央部には、前記取付用孔２１，２２に対応するように一対の突起３１，３２が設けられるとともに、突起３１は取付用孔２１に嵌合され、突起３２は取付用孔２２に嵌合され、これにより、バンド２に対して装置本体３が着脱可能に取り付けられている。
【００２７】
突起３１，３２の外径は、取付用孔２１，２２の穴径よりも若干大きく設定されるとともに、これにより、突起３１，３２は、バンド２の弾性力に抗して、取付用孔２１，２２に対して圧入状態で取り付けられている。また、装置本体３の裏面からの突起３１，３２の突出長さは、取付用孔２１，２２の深さ（＝バンド２の厚み）よりも長く設定されるとともに、これにより、バンド２がユーザの腕に装着されたとき、突起３１，３２の先端面は、ユーザの腕に密着状態で接触されるようになっている。ただし、バンド２の裏面からの突起３１，３２の突出長さは、ユーザの腕にバンド２が装着されている状態にあって、同ユーザが腕に痛みを感じない程度に設定されている。尚、突起３１，３２の先端面に丸みを持たせる等して、ユーザが腕に痛みを感じないように配慮してもよい。
【００２８】
尚、突起３１，３２の先端面、つまりユーザの腕に対する接触面には、状況監視装置１と自動車との間において、ユーザの人体を信号伝送路とする人体内通信が可能となるように、基準電位用電極及び通信用電極が露出されているが、これについては本実施形態の要部ではないため、詳細な説明を割愛する。ちなみに、基準電位用電極は、突起３１の先端面に設けられるとともに、通信用電極は、突起３２の先端面に設けられている。
【００２９】
また、バンド２には、取付用孔２１からバンド２の長手方向一側方へ向かって取付用孔２３〜２５が互いに離間するように設けられるとともに、取付用孔２２からバンド２の長手方向他側方へ向かって取付用孔２６〜２８が互いに離間するように設けられている。尚、取付用孔２３〜２８の穴径は、互いに同じ大きさに設定されている。
【００３０】
温度センサ装置４の裏面中央部には、前記取付用孔２３に対応するように突起４１が設けられるとともに、その突起４１は取付用孔２３に嵌合され、これにより、バンド２に対して温度センサ装置４が着脱可能に取り付けられている。
【００３１】
突起４１の外径は、取付用孔２３の穴径よりも若干大きく設定されるとともに、これにより、突起４１は、バンド２の弾性力に抗して、取付用孔２３に対して圧入状態で取り付けられている。また、温度センサ装置４の裏面からの突起４１の突出長さは、取付用孔２３の深さ（＝バンド２の厚み）よりも長く設定されるとともに、これにより、バンド２がユーザの腕に装着されたとき、突起４１の先端面は、ユーザの腕に密着状態で接触されるようになっている。ただし、バンド２の裏面からの突起４１の突出長さは、ユーザの腕にバンド２が装着されている状態にあって、同ユーザが腕に痛みを感じない程度に設定されている。尚、突起４１の先端面に丸みを持たせる等して、ユーザが腕に痛みを感じないように配慮してもよい。
【００３２】
尚、温度センサ装置４の表面、つまり突起４１が設けられている面とは反対側の面には、温度センサが露出されるとともに、この温度センサによりユーザの生活環境の１つを示すものとして、ユーザを取り巻いている環境の温度が検出されるようになっている。
【００３３】
湿度センサ装置５の裏面中央部には、前記取付用孔２４に対応するように突起５１が設けられるとともに、その突起５１は取付用孔２４に嵌合され、これにより、バンド２に対して湿度センサ装置５が着脱可能に取り付けられている。
【００３４】
突起５１の外径は、取付用孔２４の穴径よりも若干大きく設定されるとともに、これにより、突起５１は、バンド２の弾性力に抗して、取付用孔２４に対して圧入状態で取り付けられている。また、湿度センサ装置５の裏面からの突起５１の突出長さは、取付用孔２４の深さ（＝バンド２の厚み）よりも長く設定されるとともに、これにより、バンド２がユーザの腕に装着されたとき、突起５１の先端面は、ユーザの腕に密着状態で接触されるようになっている。ただし、バンド２の裏面からの突起５１の突出長さは、ユーザの腕にバンド２が装着されている状態にあって、同ユーザが腕に痛みを感じない程度に設定されている。尚、突起５１の先端面に丸みを持たせる等して、ユーザが腕に痛みを感じないように配慮してもよい。
【００３５】
尚、湿度センサ装置５の表面、つまり突起５１が設けられている面とは反対側の面には、湿度センサが露出されるとともに、この湿度センサによりユーザの生活環境の１つを示すものとして、ユーザを取り巻いている環境の湿度が検出されるようになっている。
【００３６】
紫外線量センサ装置６の裏面中央部には、前記取付用孔２５に対応するように突起６１が設けられるとともに、その突起６１は取付用孔２５に嵌合され、これにより、バンド２に対して紫外線量センサ装置６が着脱可能に取り付けられている。
【００３７】
突起６１の外径は、取付用孔２５の穴径よりも若干大きく設定されるとともに、これにより、突起６１は、バンド２の弾性力に抗して、取付用孔２５に対して圧入状態で取り付けられている。また、紫外線量センサ装置６の裏面からの突起６１の突出長さは、取付用孔２５の深さ（＝バンド２の厚み）よりも長く設定されるとともに、これにより、バンド２がユーザの腕に装着されたとき、突起６１の先端面は、ユーザの腕に密着状態で接触されるようになっている。ただし、バンド２の裏面からの突起６１の突出長さは、ユーザの腕にバンド２が装着されている状態にあって、同ユーザが腕に痛みを感じない程度に設定されている。尚、突起６１の先端面に丸みを持たせる等して、ユーザが腕に痛みを感じないように配慮してもよい。
【００３８】
尚、紫外線量センサ装置６の表面、つまり突起６１が設けられている面とは反対側の面には、紫外線量センサが露出されるとともに、この紫外線量センサによりユーザの生活環境の１つを示すものとして、ユーザに降り注いでいる紫外線の量が検出されるようになっている。
【００３９】
体温センサ装置７の裏面中央部には、前記取付用孔２６に対応するように突起７１が設けられるとともに、その突起７１は取付用孔２６に嵌合され、これにより、バンド２に対して体温センサ装置７が着脱可能に取り付けられている。
【００４０】
突起７１の外径は、取付用孔２６の穴径よりも若干大きく設定されるとともに、これにより、突起７１は、バンド２の弾性力に抗して、取付用孔２６に対して圧入状態で取り付けられている。また、体温センサ装置７の裏面からの突起７１の突出長さは、取付用孔２６の深さ（＝バンド２の厚み）よりも長く設定されるとともに、これにより、バンド２がユーザの腕に装着されたとき、突起７１の先端面は、ユーザの腕に密着状態で接触されるようになっている。ただし、バンド２の裏面からの突起７１の突出長さは、ユーザの腕にバンド２が装着されている状態にあって、同ユーザが腕に痛みを感じない程度に設定されている。尚、突起７１の先端面に丸みを持たせる等して、ユーザが腕に痛みを感じないように配慮してもよい。
【００４１】
尚、突起７１の先端面、つまりユーザの腕に対する接触面には、体温センサが露出されるとともに、この体温センサによりユーザの体調の１つを示すものとして、ユーザの皮膚温度が検出されるようになっている。
【００４２】
心拍数センサ装置８の裏面中央部には、前記取付用孔２７に対応するように突起８１が設けられるとともに、その突起８１は取付用孔２７に嵌合され、これにより、バンド２に対して心拍数センサ装置８が着脱可能に取り付けられている。
【００４３】
突起８１の外径は、取付用孔２７の穴径よりも若干大きく設定されるとともに、これにより、突起８１は、バンド２の弾性力に抗して、取付用孔２７に対して圧入状態で取り付けられている。また、心拍数センサ装置８の裏面からの突起８１の突出長さは、取付用孔２７の深さ（＝バンド２の厚み）よりも長く設定されるとともに、これにより、バンド２がユーザの腕に装着されたとき、突起８１の先端面は、ユーザの腕に密着状態で接触されるようになっている。ただし、バンド２の裏面からの突起８１の突出長さは、ユーザの腕にバンド２が装着されている状態にあって、同ユーザが腕に痛みを感じない程度に設定されている。尚、突起８１の先端面に丸みを持たせる等して、ユーザが腕に痛みを感じないように配慮してもよい。
【００４４】
尚、突起８１の先端面、つまりユーザの腕に対する接触面には、心拍数センサが露出されるとともに、この心拍数センサによりユーザの体調の１つを示すものとして、ユーザの心拍数が検出されるようになっている。
【００４５】
肌水分量センサ装置９の裏面中央部には、前記取付用孔２８に対応するように突起９１が設けられるとともに、その突起９１は取付用孔２８に嵌合され、これにより、バンド２に対して肌水分量センサ装置９が着脱可能に取り付けられている。
【００４６】
突起９１の外径は、取付用孔２８の穴径よりも若干大きく設定されるとともに、これにより、突起９１は、バンド２の弾性力に抗して、取付用孔２８に対して圧入状態で取り付けられている。また、肌水分量センサ装置９の裏面からの突起９１の突出長さは、取付用孔２８の深さ（＝バンド２の厚み）よりも長く設定されるとともに、これにより、バンド２がユーザの腕に装着されたとき、突起９１の先端面は、ユーザの腕に密着状態で接触されるようになっている。ただし、バンド２の裏面からの突起９１の突出長さは、ユーザの腕にバンド２が装着されている状態にあって、同ユーザが腕に痛みを感じない程度に設定されている。尚、突起９１の先端面に丸みを持たせる等して、ユーザが腕に痛みを感じないように配慮してもよい。
【００４７】
尚、突起９１の先端面、つまりユーザの腕に対する接触面には、肌水分量センサが露出されるとともに、この肌水分量センサによりユーザの体調の１つを示すものとして、ユーザの肌水分量が検出されるようになっている。
【００４８】
装置本体３の外周面には、第１の接続手段としてのメスコネクタ３３が凹設されるとともに、装置本体３の中心を挟んでメスコネクタ３３が設けられる位置とは反対側の位置には、第２の接続手段としてのメスコネクタ３４が凹設されている。
【００４９】
第１のセンサ装置としての温度センサ装置４の外周面には、前記メスコネクタ３３（第１の接続手段）に適合する第１のコネクタとしてのオスコネクタ４２が突設されるとともに、そのオスコネクタ４２はメスコネクタ３３に嵌合され、これにより、装置本体３に対して温度センサ装置４が着脱可能に取り付けられている。尚、温度センサ装置４においてオスコネクタ４２が設けられている側とは反対側の外周面には、第２のコネクタとしてのメスコネクタ４３が凹設されている。
【００５０】
第２のセンサ装置としての湿度センサ装置５の外周面には、前記メスコネクタ４３（第２のコネクタ）に適合する第３のコネクタとしてのオスコネクタ５２が突設されるとともに、そのオスコネクタ５２はメスコネクタ４３に嵌合され、これにより、温度センサ装置４に対して湿度センサ装置５が着脱可能に取り付けられている。尚、湿度センサ装置５においてオスコネクタ５２が設けられている側とは反対側の外周面には、第４のコネクタとしてのメスコネクタ５３が凹設されている。
【００５１】
第３のセンサ装置としての紫外線量センサ装置６の外周面には、前記メスコネクタ５３（第４のコネクタ）に適合するオスコネクタ６２が突設されるとともに、そのオスコネクタ６２はメスコネクタ５３に嵌合され、これにより、湿度センサ装置５に対して紫外線量センサ装置６が着脱可能に取り付けられている。尚、紫外線量センサ装置６においてオスコネクタ６２が設けられている側とは反対側の外周面には、メスコネクタ６３が凹設されているが、本実施形態では、このメスコネクタ６３に嵌合されるオスコネクタは存在していない。
【００５２】
第４のセンサ装置としての体温センサ装置７の外周面には、前記メスコネクタ３４（第２の接続手段）に適合する第５のコネクタとしてのオスコネクタ７２が突設されるとともに、そのオスコネクタ７２はメスコネクタ３４に嵌合され、これにより、装置本体３に対して体温センサ装置７が着脱可能に取り付けられている。尚、体温センサ装置７においてオスコネクタ７２が設けられている側とは反対側の外周面には、第６のコネクタとしてのメスコネクタ７３が凹設されている。
【００５３】
第５のセンサ装置としての心拍数センサ装置８の外周面には、前記メスコネクタ７３（第６のコネクタ）に適合する第７のコネクタとしてのオスコネクタ８２が突設されるとともに、そのオスコネクタ８２はメスコネクタ７３に嵌合され、これにより、体温センサ装置７に対して心拍数センサ装置８が着脱可能に取り付けられている。尚、心拍数センサ装置８においてオスコネクタ８２が設けられている側とは反対側の外周面には、第８のコネクタとしてのメスコネクタ８３が凹設されている。
【００５４】
第６のセンサ装置としての肌水分量センサ装置９の外周面には、前記メスコネクタ８３（第８のコネクタ）に適合するオスコネクタ９２が突設されるとともに、そのオスコネクタ９２はメスコネクタ８３に嵌合され、これにより、心拍数センサ装置８に対して肌水分量センサ装置９が着脱可能に取り付けられている。尚、肌水分量センサ装置９においてオスコネクタ９２が設けられている側とは反対側の外周面には、メスコネクタ９３が凹設されているが、本実施形態では、このメスコネクタ９３に嵌合されるオスコネクタは存在していない。
【００５５】
ここで、本実施形態において前記メスコネクタ３３，３４，４３，５３，６３，７３，８３，９３は、互いに同一構成であるとともに、前記オスコネクタ４２，５２，６２，７２，８２，９２は、互いに同一構成である。従って、本実施形態では、オスコネクタ４２，５２，６２，７２，８２，９２の各々は、それが設けられている自センサ装置のメスコネクタを除いて、メスコネクタ３３，３４，４３，５３，６３，７３，８３，９３のどれにも適合する。
【００５６】
次に、状況監視装置１の電気的構成について説明する。
図２に示すように、状況監視装置１の装置本体３には、メスコネクタ３３及びオスコネクタ４２を介して温度センサ装置４が電気的に接続されるとともに、その温度センサ装置４には、メスコネクタ４３及びオスコネクタ５２を介して湿度センサ装置５が電気的に接続され、さらに、その湿度センサ装置５には、メスコネクタ５３及びオスコネクタ６２を介して紫外線量センサ装置６が電気的に接続されている。
【００５７】
また、状況監視装置１の装置本体３には、メスコネクタ３４及びオスコネクタ７２を介して体温センサ装置７が電気的に接続されるとともに、その体温センサ装置７には、メスコネクタ７３及びオスコネクタ８２を介して心拍数センサ装置８が電気的に接続され、さらに、その心拍数センサ装置８には、メスコネクタ８３及びオスコネクタ９２を介して肌水分量センサ装置９が電気的に接続されている。
【００５８】
紫外線量センサ装置６は、その表面側に露出された紫外線量センサ６５により紫外線量を検出するとともに、紫外線量を示唆するデータを通信回路６６により装置本体３にとって扱いやすい形式に変換し、それをオスコネクタ６２を介して外部装置（この場合、湿度センサ装置５）に出力する。また、紫外線量センサ装置６は、メスコネクタ６３を介して外部装置（この場合、メスコネクタ６３を介して接続される外部装置は存在していない）から取得したデータを、通信回路６６及びオスコネクタ６２を介して外部装置（この場合、湿度センサ装置５）に出力する。
【００５９】
湿度センサ装置５は、その表面側に露出された湿度センサ５５により環境湿度を検出するとともに、環境湿度を示唆するデータを通信回路５６により装置本体３にとって扱いやすい形式に変換し、それをオスコネクタ５２を介して外部装置（この場合、温度センサ装置４）に出力する。また、湿度センサ装置５は、メスコネクタ５３を介して外部装置（この場合、紫外線量センサ装置６）から取得したデータを、通信回路５６及びオスコネクタ５２を介して外部装置（この場合、温度センサ装置４）に出力する。
【００６０】
温度センサ装置４は、その表面側に露出された温度センサ４５により環境温度を検出するとともに、環境温度を示唆するデータを通信回路４６により装置本体３にとって扱いやすい形式に変換し、それをオスコネクタ４２を介して外部装置（この場合、装置本体３）に出力する。また、温度センサ装置４は、メスコネクタ４３を介して外部装置（この場合、湿度センサ装置５）から取得したデータを、通信回路４６及びオスコネクタ４２を介して外部装置（この場合、装置本体３）に出力する。
【００６１】
肌水分量センサ装置９は、その裏面側に露出された肌水分量センサ９５によりユーザの肌水分量を検出するとともに、ユーザの肌水分量を示唆するデータを通信回路９６により装置本体３にとって扱いやすい形式に変換し、それをオスコネクタ９２を介して外部装置（この場合、心拍数センサ装置８）に出力する。また、肌水分量センサ装置９は、メスコネクタ９３を介して外部装置（この場合、メスコネクタ９３を介して接続される外部装置は存在していない）から取得したデータを、通信回路９６及びオスコネクタ９２を介して外部装置（この場合、心拍数センサ装置８）に出力する。
【００６２】
心拍数センサ装置８は、その裏面側に露出された心拍数センサ８５によりユーザの心拍数を検出するとともに、ユーザの心拍数を示唆するデータを通信回路８６により装置本体３にとって扱いやすい形式に変換し、それをオスコネクタ８２を介して外部装置（この場合、体温センサ装置７）に出力する。また、心拍数センサ装置８は、メスコネクタ８３を介して外部装置（この場合、肌水分量センサ装置９）から取得したデータを、通信回路８６及びオスコネクタ８２を介して外部装置（この場合、体温センサ装置７）に出力する。
【００６３】
体温センサ装置７は、その裏面側に露出された体温センサ７５によりユーザの皮膚温度を検出するとともに、ユーザの皮膚温度を示唆するデータを通信回路７６により装置本体３にとって扱いやすい形式に変換し、それをオスコネクタ７２を介して外部装置（この場合、装置本体３）に出力する。また、体温センサ装置７は、メスコネクタ７３を介して外部装置（この場合、心拍数センサ装置８）から取得したデータを、通信回路７６及びオスコネクタ７２を介して外部装置（この場合、装置本体３）に出力する。
【００６４】
装置本体３は、メスコネクタ３３を介して外部装置（この場合、温度センサ装置４）から取得したデータがどのセンサ装置により検出されたものであるかを通信回路３５により特定するとともに、メスコネクタ３４を介して外部装置（この場合、体温センサ装置７）から取得したデータがどのセンサ装置により検出されたものであるかを通信回路３５により特定する。そして、同装置本体３は、該特定結果とデータのレベルとが関連付けされたデータが通信回路３５から制御回路３６に出力されたとき、そのデータが制御回路３６により解析される。そして、同装置本体３は、該解析結果から把握される状況に応じた態様で制御回路３６によりディスプレイ３７、スピーカ３８、バイブレータ３９が作動されるようになっている。
【００６５】
尚、環境温度を始めとして環境湿度やユーザの皮膚温度等が全て基準値レベルである場合のように、ユーザの生活環境やユーザの体調といった状況が「正常レベル」であることが把握されるとき、そのことを示唆するべく、ディスプレイ３７にあって青色を基調とした表示が行われるとともに、この場合、スピーカ３８やバイブレータ３９は作動されないようになっている。
【００６６】
一方、環境温度が基準環境温度よりも高めであり、且つユーザの肌水分量が基準肌水分量よりも少なめである場合のように、前記状況が「注意レベル」であることが把握されるとき、そのことを示唆するべく、ディスプレイ３７にあって黄色を基調とした表示が行われるとともに、この場合、バイブレータ３９が作動されるようになっている。
【００６７】
他方、夏場の如く紫外線量が基準紫外線量を大きく上回っている場合のように、前記状況が「危険レベル」であることが把握されるとき、そのことを示唆するべく、ディスプレイ３７にあって赤色を基調とした表示が行われるとともに、この場合、スピーカ３８から警告が発せられるようになっている。
【００６８】
以上、詳述したように本実施形態によれば、次のような作用、効果を得ることができる。
（１）状況監視装置１の装置本体３には、該装置本体３に対してセンサ装置を直接的に取り付けるためのメスコネクタ３３（３４）が設けられている。このため、このメスコネクタ３３（３４）に適合するオスコネクタを有するセンサ装置が複数用意されていることを前提としたとき、監視したい状況に合わせて所望のセンサ装置を選択し、それをメスコネクタ３３（３４）を介して装置本体３に取り付ければ、該センサ装置により検出された状況を示唆するデータを装置本体３側で取得できるようになる。要は、自分が望むセンサ装置を装置本体３に選択搭載すれば事が足りる。従って、無駄を排除することができる。
【００６９】
（２）装置本体３には、該装置本体３に対してセンサ装置を直接的に取り付けるためのメスコネクタが複数個（本実施形態では、メスコネクタ３３，３４の合計２個）設けられている。このため、複数のメスコネクタの各々を介して所望のセンサ装置を装置本体３に取り付ければ、センサ装置の個数に応じて様々な状況を示唆するデータを装置本体３側で取得できるようになる。ここに、これらのセンサ装置は全て自分が選択したものであるから、無駄を排除しつつ、使用目的にかなった状況監視装置１を作り出すことができる。
【００７０】
（３）装置本体３には、該装置本体３に対してセンサ装置を直接的に取り付けるためのメスコネクタとして、互いに同一構成である複数個のメスコネクタ（本実施形態では、メスコネクタ３３，３４の合計２個）が設けられている。このため、センサ装置は、複数のメスコネクタのどれを介してでも装置本体３に取り付けることが可能である。要は、所望のセンサ装置を好きな位置に取り付ければ事が足りる。従って、独創性に富んだ状況監視装置１を作り出すことができる。
【００７１】
（４）温度センサ装置４には、装置本体３のメスコネクタ３３に適合するオスコネクタ４２と、該温度センサ装置４に対して湿度センサ装置５を直接的に取り付けるためのメスコネクタ４３とが設けられている。このため、装置本体３に温度センサ装置４を取り付けることに止まらず、さらに、その温度センサ装置４に湿度センサ装置５を取り付ければ、温度センサ装置４により検出された状況を示唆するデータを装置本体３側で取得できるとともに、湿度センサ装置５により検出された状況を示唆するデータを装置本体３側で取得できるようになる。ここに、これらのセンサ装置４，５はいずれも自分が選択したものであるから、無駄を排除しつつ、使用目的にかなった状況監視装置１を作り出すことができる。
【００７２】
（５）体温センサ装置７には、装置本体３のメスコネクタ３４に適合するオスコネクタ７２と、該体温センサ装置７に対して心拍数センサ装置８を直接的に取り付けるためのメスコネクタ７３とが設けられている。このため、装置本体３に体温センサ装置７を取り付けることに止まらず、さらに、その体温センサ装置７に心拍数センサ装置８を取り付ければ、体温センサ装置７により検出された状況を示唆するデータを装置本体３側で取得できるとともに、心拍数センサ装置８により検出された状況を示唆するデータを装置本体３側で取得できるようになる。ここに、これらのセンサ装置７，８はいずれも自分が選択したものであるから、無駄を排除しつつ、使用目的にかなった状況監視装置１を作り出すことができる。
【００７３】
（６）メスコネクタ３３を介して装置本体３に温度センサ装置４を取り付けるとともに、その温度センサ装置４に湿度センサ装置５を取り付けることに止まらず、さらに、メスコネクタ３４を介して装置本体３に体温センサ装置７を取り付けるとともに、その体温センサ装置７に心拍数センサ装置８を取り付けることが可能である。そして、このようにしたとき、温度センサ装置４や湿度センサ装置５により検出された状況を示唆するデータを装置本体３側で取得できるとともに、体温センサ装置７や心拍数センサ装置８により検出された状況を示唆するデータを装置本体３側で取得できるようになる。ここに、これらのセンサ装置４，５，７，８はいずれも自分が選択したものであるから、無駄を排除しつつ、使用目的にかなった状況監視装置１を作り出すことができる。
【００７４】
（７）温度センサ装置４、湿度センサ装置５、紫外線量センサ装置６、体温センサ装置７、心拍数センサ装置８、肌水分量センサ装置９、の各々により検出された状況を示唆するデータを装置本体３側で取得できる。ここに、これらのセンサ装置４〜９はいずれも自分が選択したものであるから、無駄を排除しつつ、使用目的にかなった状況監視装置１を作り出すことができる。
【００７５】
（８）湿度センサ装置５には、温度センサ装置４に設けられるメスコネクタ４３に適合するオスコネクタ５２と、該湿度センサ装置５に対して紫外線量センサ装置６を直接的に取り付けるためのメスコネクタ５３とが設けられている。そして、オスコネクタ５２は、装置本体３に設けられるメスコネクタ３３にも適合するとともに、メスコネクタ５３は、温度センサ装置４に設けられるオスコネクタ４２にも適合する。このため、装置本体３、温度センサ装置４、湿度センサ装置５、の順に連なるように取り付けることが可能であるとともに、温度センサ装置４と湿度センサ装置５との順序を入れ替えて、装置本体３、湿度センサ装置５、温度センサ装置４、の順に連なるように取り付けることも可能である。要は、所望のセンサ装置を好きな順序で取り付ければ事が足りる。従って、独創性に富んだ状況監視装置１を作り出すことができる。
【００７６】
（９）心拍数センサ装置８には、体温センサ装置７に設けられるメスコネクタ７３に適合するオスコネクタ８２と、該心拍数センサ装置８に対して肌水分量センサ装置９を直接的に取り付けるためのメスコネクタ８３とが設けられている。そして、オスコネクタ８２は、装置本体３に設けられるメスコネクタ３４にも適合するとともに、メスコネクタ８３は、体温センサ装置７に設けられるオスコネクタ７２にも適合する。このため、装置本体３、体温センサ装置７、心拍数センサ装置８、の順に連なるように取り付けることが可能であるとともに、体温センサ装置７と心拍数センサ装置８との順序を入れ替えて、装置本体３、心拍数センサ装置８、体温センサ装置７、の順に連なるように取り付けることも可能である。要は、所望のセンサ装置を好きな順序で取り付ければ事が足りる。従って、独創性に富んだ状況監視装置１を作り出すことができる。
【００７７】
（１０）装置本体３のメスコネクタ３３には、温度センサ装置４に設けられるオスコネクタ４２が適合するとともに、体温センサ装置７に設けられるオスコネクタ７２が適合する。また、装置本体３のメスコネクタ３４には、体温センサ装置７に設けられるオスコネクタ７２が適合するとともに、温度センサ装置４に設けられるオスコネクタ４２が適合する。このため、温度センサ装置４をメスコネクタ３３を介して装置本体３に取り付ける一方で、体温センサ装置７をメスコネクタ３４を介して装置本体３に取り付けることが可能であるとともに、それとは逆に、温度センサ装置４をメスコネクタ３４を介して装置本体３に取り付ける一方で、体温センサ装置７をメスコネクタ３３を介して装置本体３に取り付けることも可能である。要は、所望のセンサ装置を好きな位置に取り付ければ事が足りる。従って、独創性に富んだ状況監視装置１を作り出すことができる。
【００７８】
（１１）オスコネクタ４２，５２，６２，７２，８２，９２の各々は、それが設けられている自センサ装置のメスコネクタを除いて、メスコネクタ３３，３４，４３，５３，６３，７３，８３，９３のどれにも適合する。このため、例えば、装置本体３を始端として温度センサ装置４、湿度センサ装置５、紫外線量センサ装置６、体温センサ装置７、心拍数センサ装置８、肌水分量センサ装置９の順（この場合、肌水分量センサ装置９が終端となる）にそれらが連接されるように状況監視装置１を構成することができる。要は、所望のセンサ装置を選択し（個数は自由）、それを所望の順序及び所望の位置に取り付けてゆくことで、自分の好みに応じた状況監視装置１を作り出すことができる。
【００７９】
（１２）センサ装置が予め装置本体３内に組み込まれて一体化されている訳ではないので、装置本体３を小型軽量化できるとともに、それ故にウェアラブルな装置本体３を提供できる。
【００８０】
（１３）装置本体３の製造メーカにしてみれば、どのようなセンサ装置が後付されようとも、それはユーザの好みによるところであり、１種類の装置本体３さえ製造すれば事が足りる。従って、装置本体３の生産性を向上できる。
【００８１】
（１４）状況監視装置１のユーザにしてみれば、装置本体３に加えて、自分が望むセンサ装置のみを購入すれば事が足りるので、初期費用を抑制できて経済的である。
（１５）状況監視装置１のユーザにしてみれば、その日の気分に合わせてアクセサリ感覚で自由な態様で状況監視装置１を作り出すことができる。
【００８２】
（１６）体温センサ７５、心拍数センサ８５、肌水分量センサ９５、の各々は、ユーザの腕に密着状態で接触されるように露出されているので、ユーザの体調を示す物理量（皮膚温度等）を確実に検出できることとなり、よって検出精度を向上できる。
【００８３】
（１７）装置本体３に対してどのセンサ装置を取り付けようとも自由であることを別の言葉で表現すると、それまで取り付けていなかったセンサ装置を新たに取り付けたり、或いはそれまでは必要としていたが後に不要となったセンサ装置を取り外したり、或いは故障したセンサ装置を新品に取り替えたりすることを自由に行うことができる。つまり、装置本体３に対してセンサ装置を選択搭載できることから、センサ装置の追加、拡張、取り外し、取り替えを容易に行うことができるとともに、それらに柔軟に対応でき、よって簡便である。
【００８４】
（１８）取付時には、メスコネクタにオスコネクタを差し込むとともに、センサ装置の裏面に設けられた突起をバンド２に圧入するという至ってシンプルな作業を行うだけで事が足りるとともに、取外時には、取付時とは逆の作業を行えば事が足りることから、作業にさほど手間がかからず、よって簡便である。
【００８５】
（１９）メスコネクタに対してオスコネクタが嵌合されつつ、突起がバンド２に圧入されていることから、装置本体３とセンサ装置やセンサ装置同士を確実に固定及び接続できる。従って、取付後において、装置本体３とセンサ装置やセンサ装置同士が互いにバラバラになってしまうようなことを防止できる。
【００８６】
尚、前記実施形態は、次のように変更して具体化することも可能である。
・メスコネクタとオスコネクタとの関係を前記実施形態の態様とは逆にしてもよい。つまり、装置本体３にあって、メスコネクタ３３，３４に代えてオスコネクタ（接続手段）を採用するとともに、温度センサ装置４（センサ装置５〜９）にあって、オスコネクタ４２（５２〜９２）に代えてメスコネクタを採用し、同温度センサ装置４（センサ装置５〜９）にあって、メスコネクタ４３（５３〜９３）に代えてオスコネクタを採用してもよい。
【００８７】
・装置本体３にあって、メスコネクタ３３とメスコネクタ３４とを互いに異なる構成のものとしてもよい。
・装置本体３にあって、該装置本体３に対してセンサ装置を直接的に取り付けるための接続手段は、１個であってもよいし、３個以上であってもよい。例えば、装置本体３が４個の接続手段を備えるものであるとき、それらが装置本体３の外周面に等間隔で配置されるのであれば、装置本体３とセンサ装置とを含めて全体として十字状に展開される状況監視装置１を実現することが可能である。
【００８８】
・センサ装置として、ユーザを取り巻いている環境の気圧を検出する気圧センサ、ユーザを取り巻いている環境の酸素濃度を検出する酸素濃度センサ、ユーザの血圧を検出する血圧センサ、ユーザのシワの進度を検出するシワ進度センサ、ユーザの肌のキメ度を検出する肌キメ度センサ、ユーザの肌の弾力を検出する肌弾力センサ等を採用してもよい。
【００８９】
・状況監視装置１は、ユーザの腕に装着される腕時計型或いはブレスレット型に限らず、ユーザの首に掛けられるネックレス型或いはペンダント型、その他にも眼鏡型、指輪型等であってもよい。要は、監視対象となる状況がユーザの生体情報であるならば、状況監視装置１は、人体に接触されるもの、特に人体に密着されるものであることが好ましい。また、人として車両の運転者を想定するならば、その者が乗車するか否かに拘わらず、普段から人体に装着されるもの、例えば、装置本体３に腕時計が一体化されるとともに、それに所望のセンサ装置が取り付けられたものであることが好ましい。
【００９０】
・対応する電子キーのアンロックボタン（ロックボタン）が操作されたときに、自動車等の車両或いは住宅等の建物のドア施解錠制御装置によりドアの解錠（施錠）を許可する、いわゆるキーレスシステムに供される電子キーに必要な機能（キーレス機能）が前記実施形態の装置本体３に内蔵されていてもよい。ここに、装置本体３に内蔵されるキーレス機能とは、アンロックボタン（ロックボタン）が操作されたとき、ドアの解錠（施錠）を要求する解錠要求コード（施錠要求コード）と、装置本体３（電子キー）毎に個別に設定されたＩＤコードとを含むＩＤコード信号を送信する機能を指す。尚、このようなＩＤコード信号がドア施解錠制御装置により受信されたとき、これに含まれるＩＤコードと基準ＩＤコードとの照合が行われるとともに、それらが一致したことを条件としてドアの解錠（施錠）が許可される。
【００９１】
或いは、対応する電子キーがドアの近くに存在していることを条件として、自動車等の車両或いは住宅等の建物のドア施解錠制御装置によりドアの解錠（施錠）を許可する、いわゆるスマートシステムに供される電子キーに必要な機能（スマート機能）が前記実施形態の装置本体３に内蔵されていてもよい。ここに、装置本体３に内蔵されるスマート機能とは、ドアに対する装置本体３の接近を監視する目的でドア施解錠制御装置から定期的に送信されるリクエスト信号を受信したとき、それに応答して、装置本体３（電子キー）毎に個別に設定されたＩＤコードを含むＩＤコード信号を送信する機能を指す。尚、このようなＩＤコード信号がドア施解錠制御装置により受信されたとき、これに含まれるＩＤコードと基準ＩＤコードとの照合が行われるとともに、それらが一致したことを条件としてドアの解錠（施錠）が許可される。
【００９２】
ちなみに、装置本体３にスマート機能が内蔵されていれば、ドアの施解錠のみならず、車両のエンジン始動についても許可されるようにすることも可能となる。
これらのように装置本体３にキーレス機能或いはスマート機能或いはそれらの両方が内蔵されているとき、車両の運転者或いは建物の住人等のユーザは、電子キーと状況監視装置１との両方、つまり２つの物を所持する必要がなくなり、よって極めて携帯性に優れる。尚、キーレス機能やスマート機能に関して、それらを車両と建物との両方に用いることが可能な構成を採用したとき、車両用のキー、建物用のキー、状況監視装置１、といった３つの物を所持する必要がなくなり、よってさらに携帯性に優れる。
【００９３】
また、装置本体３にキーレス機能が内蔵されている場合、装置本体３から車両・建物へＩＤコード信号を送信するに際して、ユーザの生活環境やユーザの体調に関する情報を車両・建物側へ送信すれば、それを車両・建物側において利用することができる。
【００９４】
さらに、装置本体３にスマート機能が内蔵されている場合、装置本体３から車両・建物へＩＤコード信号を送信するに際して、ユーザの生活環境やユーザの体調に関する情報を車両・建物側へ送信すれば、それを車両・建物側において利用することができる。また、それとは逆に、車両・建物から装置本体３へリクエスト信号を送信するに際して、車両・建物側の情報を装置本体３側へ送信すれば、それを装置本体３側において利用することができる。例えば、後者に関して言えば、車両・建物側の設定を変更するような場合に、その変更が行われたことをユーザに伝える、いわゆるアンサーバックに利用することができる。
【図面の簡単な説明】
【００９５】
【図１】（ａ）は状況監視装置の構成を示す平面図であり、（ｂ）は状況監視装置の構成を少し拡大して示す断面図。
【図２】状況監視装置の電気的構成を示すブロック図。
【符号の説明】
【００９６】
１…状況監視装置、３…装置本体、４…温度センサ装置（センサ装置、第１のセンサ装置）、５…湿度センサ装置（センサ装置、第２のセンサ装置）、６…紫外線量センサ装置（センサ装置、第３のセンサ装置）、７…体温センサ装置（センサ装置、第４のセンサ装置）、８…心拍数センサ装置（センサ装置、第５のセンサ装置）、９…肌水分量センサ装置（センサ装置、第６のセンサ装置）、３３…メスコネクタ（接続手段、第１の接続手段）、３４…メスコネクタ（接続手段、第２の接続手段）、４２…オスコネクタ（第１のコネクタ）、４３…メスコネクタ（第２のコネクタ）、５２…オスコネクタ（第３のコネクタ）、５３…メスコネクタ（第４のコネクタ）、７２…オスコネクタ（第５のコネクタ）、７３…メスコネクタ（第６のコネクタ）、８２…オスコネクタ（第７のコネクタ）、８３…メスコネクタ（第８のコネクタ）。
【図１】
2008119197.tif 000003
【図２】
2008119197.tif 000004